(57)【特許請求の範囲】
【請求項１】
インキ内蔵筆記具の軸筒先端近傍に形成した空気流通孔の周辺部を挿着する保持ブロックの挿着孔内面に、前記空気流通孔の前後を密閉する段部とＯリングを設け、該段部とＯリング間に検出孔を形成し、該検出孔に気体を送入又は吸引する如くしたインキ内蔵筆記具の空気流通孔検出装置。
【請求項２】
保持ブロックの挿着孔内面に筒状軸の空気流通孔の前方を密閉する段部を形成し、空気流通孔の後方を密閉するＯリングを取り付けた請求項１記載のインキ内蔵筆記具の空気流通孔検出装置。
【請求項３】
保持ブロックの挿着孔内面に筒状軸の空気流通孔の前方を密閉するＯリングを取り付け、空気流通孔の後方を密閉する段部を形成した請求項１記載のインキ内蔵筆記具の空気流通孔検出装置。
【発明の詳細な説明】
【０００１】
【産業上の利用分野】
本発明は、インキ内蔵の筆記具先端近傍に空気流通孔が形成された筆記具などの空気流通孔検出装置に関するものである。
【０００２】
【従来の技術】
最初に、筆記具１０１などに形成されている空気流通孔１０２について簡単に説明する。
一般的にインキを内蔵している、例えば水性ボールペン、油性ボールペン、サインペンなどの筒状軸１０１の先端近傍には空気流通孔１０２が形成されている。その空気流通孔１０２の形成位置は物によっては様々であるが、特に水性インキを内蔵した筆記具においては筒状軸１０１の前方であるペン先近傍に略形成されている。
その空気流通孔１０２は筆記によってインキが突出することにより減圧した筒状軸１０１内部の圧力を外部より空気を取り入れることにより元に戻すために形成されているものである。つまり、筒状軸１０１内の圧力を外圧と常に一定に保つために形成されているものである。
【０００３】
次に図４に基づき従来の空気流通孔検出装置について説明する。
搬送コンベア１０３より順次搬送されてくる筆記具の筒状軸１０１の後方には、ゴム状の弾性部材１０４がブラケット１０５を介して配置固定されている。そして、その弾性部材１０４に筒状軸１０１の後端開口部１０６が密着し、後端開口部１０６からの空気漏れが防止されている。
一方、筒状軸１０１に形成されたペン先などが圧入される圧入孔１０８の前方には、前記空気流通孔１０２の有無を検出する空気通路１０９が形成された空気供給ヘッド１１０が配置されている。また、その空気供給ヘッド１１０は、エアシリンダ１１１により筒状軸１０１に対して前進後退可能に配置されている。１１２は空気供給ヘッド１１０に空気を供給するコンプレッサー（図示せず）より連筒されたチューブである。
【０００４】
次に作用について説明する。
順次搬送されてくる筒状軸１０１を一旦停止させ、エアシリンダ１１１を作動させ空気供給ヘッド１１０の前進により、筒状軸１０１を弾性部材１０４に押しつける。次いで、チューブ１１２より空気を筒状軸１０１内に供給する。こゝで、空気流通孔１０２が形成されている場合には供給された空気がその空気流通孔１０２より漏れ、コンプレッサーに異常な負荷がかゝらず良品と判断される。逆に空気流通孔１０２が形成されていない場合には供給された空気が漏れずコンプレッサーに異常な負荷がかゝり不良と判断される。
【０００５】
【発明が解決しようとする課題】
ところで上記従来技術においては、空気流通孔１０２が不良で塞がっていたとしても弾性部材１０４の劣化、筒状軸１０１後端の弾性部材１０４への密着不良などにより、その密着不良部分から空気が漏れてしまう場合があり、この様な場合もコンプレッサーには異常な負荷がかゝらないため良品と判断されてしまう。また、筒状軸１０１の先端（圧入孔１０８）と空気供給ヘッド１１０との密着部からも上記のような空気漏れが発生してしまう場合があった。
【０００６】
【課題を解決するための手段】
本発明は上記問題点を解決することを目的とし、インキ内蔵筆記具の軸筒先端近傍に形成した空気流通孔の周辺部を挿着する保持ブロックの挿着孔内面に、前記空気流通孔の前後を密閉する段部とＯリングを設け、該段部とＯリング間に検出孔を形成し、該検出孔に気体を送入又は吸引する如くしたことを要旨とするものである。
【０００７】
【実施例】
図１、図２は本発明における一実施例である。
筆記具などの空気流通孔１０２が形成された、筒状軸１０１が順次搬送される搬送コンベア２の上方には、スプリングなどの弾撥部材３を介して筒状軸１０１を一時的に押さえつける押圧ブロック４が上下動自在に配置されている。
一方、搬送コンベア２と対峙した位置には後述する空気流通孔検出ユニット５が配置されている。その空気流通孔検出ユニット５はスプリングなどの弾撥部材６を介してスライドユニット７に連結されている。また、そのスライドユニット７はブラケット８を介して基台９に固定されたエアシリンダ１０のシリンダロッド１１に連結されており、そのエアシリンダ１０の動作により筒状軸１０１に対して前進・後退可能とする。１２はスライドユニット７に取り付けられた凹状の摺動ブロックであり、１３はその摺動ブロック１２に嵌入するガイドレールである。
【０００８】
次に空気流通孔検出ユニット５について詳述する。
筒状の筐体１４の内部には空気流通孔１０２が形成された筒状軸１０１の先端円錐部を保持する挿着孔１５が形成された保持ブロック１６が配置されている。その保持ブロック１６の内面には空気流通孔１０２の前後に密着し密閉するよう内面には筒状軸１０１の空気流通孔１０２の後方を密閉するＯリング１７を取り付け、空気流通孔１０２の前方を密閉する段部１８が形成されている。その内面段部１８とＯリング１７間には検出する空気が送出或いは吸引される検出孔１９が形成されている。
また、前記筐体１４には検出孔１９に空気を送出するためのニップル２０が取り付けられており、そのニップル２０にはコンプレッサー（図示せず）と連結されるエアチューブ２１が取り付けられている。
【０００９】
また、前記保持ブロック１６の内側には筒状軸１０１の前端を軽く押圧することで位置決めを行う押し棒２３がスプリングなどの弾撥部材２４により筒状軸１０１の方向に付勢された状態で配置されている。
【００１０】
図３は本発明の第２実施例である。２６は第１実施例と同様の筒状軸１０１の先端円錐部を保持する挿着孔２５が形成された保持ブロックで、挿着孔２５内面には筒状軸１０１の空気流通孔１０２の前方を密閉するＯリング２８を取り付け、空気流通孔１０２の後方を密閉する段部２７を形成している。
他の構造は第１実施例と同様である。
【００１１】
次に空気流通孔１０２の検出方法について説明する。
順次搬送されてくる筒状軸１０１を一旦停止させるとともに、押圧ブロック４を下降させ筒状軸１０１を固定する。次いで、エアシリンダ１０を作動させることにより空気流通孔検出ユニット５を前進させ、筒状軸１０１の先端を挿着孔１５に挿入する。この挿入動作により保持ブロック１６の内面段部１８とＯリング１７（図２参照），内面段部２７とＯリング２８（図３参照）で筒状軸１０１の先端の２カ所が適宜間隔を置いて保持される。
この状態でエアチューブ２１より空気を検出孔１９を通して保持ブロック１６内に供給（送出）する。こゝで、空気流通孔１０２が形成されている場合には供給された空気が空気流通孔１０２を通り筒状軸１０１の後端開口部１０６から漏れ、コンプレッサーに異常な負荷がかゝらず良品と判断される。逆に空気流通孔１０２が形成されていない場合には供給された空気が漏れず保持ブロック１６内に溜り、コンプレッサーに異常な負荷がかゝり不良と判断される。
【００１２】
なお、本実施例においては、空気を保持ブロック内に供給することにより空気流通孔の有無を検出したが、保持ブロック内の空気を吸引することで検出しても良い。一例を示すと、吸引動作で吸引されなかった場合には不良と判断し、吸引された場合には良品と判断しても良い。つまり、流通孔が形成されていない場合には吸引装置に無理な作用が働くことゝなり、流通孔が形成されている場合には筒状軸と流通孔を介して無理なく吸引することができることゝなる。
【００１３】
【発明の効果】
本発明は、インキ内蔵筆記具の軸筒先端近傍に形成した空気流通孔の周辺部を挿着する保持ブロックの挿着孔内面に、前記空気流通孔の前後を密閉する段部とＯリングを設け、該段部とＯリング間に検出孔を形成し、該検出孔に気体を送入又は吸引する如くしたので、検出する空気漏れが極力防止され、誤判断を極力無くした筒状軸に形成された空気流通孔の検出装置を提供することができるものである。
【図面の簡単な説明】
【図１】本発明の第１実施例全体の正断面図である。
【図２】図１の空気流通孔検出ユニット部の正断面図である。
【図３】本発明の第２実施例空気流通孔検出ユニット部の正断面図である。
【図４】従来装置の正断面図である。
【符号の説明】
１０１    筒状軸
１０２    空気流通孔
２        搬送コンベア
５        空気流通孔検出ユニット
１０      エアシリンダ
１４      筐体
１５      挿着孔
１６，２６    保持ブロック
１７，２８    Ｏリング
１８，２７    段部
１９      検出孔
【図１】
0003632091.tif 000002
【図２】
0003632091.tif 000003
【図３】
0003632091.tif 000004
【図４】
0003632091.tif 000005